(57)【要約】【課題】手作業によってボルト、ナットを用いた締結作業を行ったり、ボルトに締結されたナットを緩めて取り外す作業を行う場合においても、確実にナットを保持して落下を防止する。【解決手段】被締結穴３１から雄螺子部先端部を突出させたボルト２０の該雄螺子部２１に対してナット２５を着脱する作業中に、ナットが脱落することを防止する脱落防止具であって、脱落防止具は、ナットの穴内に嵌合する先端部材２と、該先端部材から後方へ延びる延長部１０と、を備え、先端部材は、ナットの内周に嵌合した状態で該ナットを落下不能に係止する係止構造３を備えている。【選択図】図２
2010106881.tif 000002
【特許請求の範囲】
【請求項１】
被締結穴から雄螺子部先端部を突出させたボルトの該雄螺子部に対してナットを着脱する作業中に、前記ナットが脱落することを防止する脱落防止具であって、
前記脱落防止具は、前記ナットの穴内に嵌合する先端部材と、該先端部材から後方へ延びる延長部と、を備え、
前記先端部材は、前記ナットの穴内に嵌合した状態で該ナットを落下不能に係止する係止構造を備えていることを特徴とするナットの脱落防止具。
【請求項２】
前記係止構造は、前記ナットの雌螺子部に螺着する雄螺子部であることを特徴とする請求項１に記載のナットの脱落防止具。
【請求項３】
前記係止構造は、前記ナットの内部に挿通可能な基部と、該基部により内外径方向へ出没自在に支持され且つ外径方向へ弾性付勢された弾性係止片と、を備えていることを特徴とする請求項１に記載のナットの脱落防止具。
【請求項４】
前記先端部材の全部、又は一部を弾性材料にて構成したことを特徴とする請求項１に記載のナットの脱落防止具。
【請求項５】
前記先端部材は、前記延長部に対して着脱交換可能に構成されていることを特徴とする請求項１乃至４の何れか一項に記載のナットの脱落防止具。
【発明の詳細な説明】
【技術分野】
【０００１】
本発明は締結対象物に固定されたボルトからナットを取り外したり、ボルトにナットを取り付ける際に、作業者が誤ってナットを落下させる不具合を効果的に防止することができるナットの脱落防止具に関する。
【背景技術】
【０００２】
送電線を支持する鉄塔に対してボルト、ナットを締結したり、締結されたボルト等を取り外す場合は、モンキースパナ、ペンチ等の工具を用いた手作業が行われる。鉄塔等に固定されたボルトの先端からナットを取り外したり、ナットを締結する際に、ナットは作業員の手から滑って落下し易い一方で、鉄塔のように高所での作業においてナットが落下すると、下方に位置する碍子を破損したり、地上作業員に怪我を負わせたり、或いは近隣家屋に損傷が発生する虞がある。このような落下事故は、雨天時や、ボルト、ナットや手に油が付着している状況下において特に起きやすい。
それにも拘わらず、これまでナットの落下を防止する対策は十分に講じられていなかった。
このような不具合は送電線用の鉄塔上での作業に限らず、建築工事等の各種工事現場、工場等において締結対象穴に挿通されたボルトの先端部に対してナットの着脱を行う際に頻繁に発生する。
【０００３】
実開昭５７−１８１５８８号公報には、ナットの落下を防止するために磁石を利用したナット落下防止用保持キャップが開示されている。しかし、キャップに埋設された磁石の磁力が弱い場合には振動、衝撃等によってキャップからナットが脱落し易い一方で、磁力を強くするとキャップの凹所内に嵌合したナットを取り外す作業が困難化するという不具合がある。また、ナットに発錆している場合、磁石による吸着が困難化するためキャップから落下し易くなる。また、ナット外面の発錆量が多い場合にはキャップの凹所内にナットを嵌合させることが困難となる。
また、特開２０００−２６５７８９公報には、複数個のセグメントの互いに隣接する端面間をボルト・ナットにより固定することにより地中埋設管路を形成する際に、ボルト頭部、又はナット外面をコイルバネ内に押し込んでからこれらの接続部を充填材により固定してコイルバネを充填材のアンカー材として利用することにより、充填材が落下することを防止した技術が開示されている。
しかし、この従来例は、ナットを手作業により着脱する際の落下を防止することを目的とした技術ではない。
【特許文献１】実開昭５７−１８１５８８号公報
【特許文献２】特開２０００−２６５７８９公報
【発明の開示】
【発明が解決しようとする課題】
【０００４】
従来、手作業によってボルト、ナットを用いた締結作業を行ったり、締結対象物に締結されたボルトからナットを取り外す作業を行う場合には、作業員が指でナットを把持する必要があったため、ナットを滑って落下させることがあった。
本発明は上記に鑑みてなされたものであり、手作業によってボルト、ナットを用いた締結作業を行ったり、ボルトに締結されたナットを緩めて取り外す作業を行う場合においても、確実にナットを保持して落下を防止することができるナットの脱落防止具を提供することを目的としている。
【課題を解決するための手段】
【０００５】
上記目的を達成するため、請求項１の発明に係るナットの脱落防止具は、被締結穴から雄螺子部先端部を突出させたボルトの該雄螺子部に対してナットを着脱する作業中に、前記ナットが脱落することを防止する脱落防止具であって、前記脱落防止具は、前記ナットの穴内に嵌合する先端部材と、該先端部材から後方へ延びる延長部と、を備え、前記先端部材は、前記ナットの内周に嵌合した状態で該ナットを落下不能に係止する係止構造を備えていることを特徴とする。
ボルトの雄螺子部に螺着されたナットを工具を用いて取り外したり、ボルトの雄螺子部に新たにナットを螺着する作業を行う場合、ナットが手から滑り落ちることが多々ある。このような不具合を無くするためにナットの内周面を保持する係止構造を備えた脱落防止具を提供する。ボルトから取り外したナットは脱落防止具の先端部材により一旦保持された後で延長部材側へそのままスライドして移動させることができるので、人手によりナットを保持して作業を行う必要が無くなり、ナットが脱落する余地を少なくすることができる。また、ナットをボルトに螺着する際にはナットを作業員の手により保持することなく、先端部材により保持したナットをボルト側に移動させることになるので、ナットが落下する余地をなくすることができる。
【０００６】
請求項２の発明に係るナットの脱落防止具は、請求項１において、前記係止構造は、前記ナットの雌螺子部に螺着する雄螺子部であることを特徴とする。
先端部材をナットの雌螺子部に螺合する雄螺子構造とすることにより、ボルトに螺着されたナットを回転させることにより安定して且つ容易に先端部材側に移行させることができる。また、先端部材に螺着保持されたナットを回転させることにより安定して且つ容易にボルト側に移行させることができる。このため、ナット着脱時の脱落の可能性を大幅に低減できる。
請求項３の発明に係るナットの脱落防止具は、請求項１において、前記係止構造は、前記ナットの内部に挿通可能な基部と、該基部により内外径方向へ出没自在に支持され且つ外径方向へ弾性付勢された弾性係止片と、を備えていることを特徴とする。
先端部材をナット内に圧入するだけでナットを保持することができるので、ナットの着脱作業が安定し、脱落を防止できる。また、内径や、雌螺子のピッチが異なるナットに対しても適用可能な汎用性を付与することができる。
【０００７】
請求項４の発明に係るナットの脱落防止具は、請求項１において、前記先端部材の全部、又は一部を弾性材料にて構成したことを特徴とする。
構成をシンプル化しながら、先端部材によるナットの着脱を容易化することができる。また、内径や、雌螺子のピッチが異なるナットに対しても適用可能な汎用性を有している
請求項５の発明に係るナットの脱落防止具は、請求項１乃至４の何れか一項において、前記先端部材は、前記延長部に対して着脱交換可能に構成されていることを特徴とする。
先端部材によって保持不能なサイズを有したナットを着脱する場合に、先端部材を交換することが可能となる。
【発明の効果】
【０００８】
以上のように本発明では、締結対象物により支持されたボルトの先端に対してナットを着脱する作業中にナットが脱落することを防止する脱落防止具として、ナットの内径に接触してこれを保持する先端部材と、該先端部材から後方へ延びる延長部と、を備え、先端部材は、ナットの内周に嵌合した状態で該ナットを落下不能に係止する係止構造を備えた構成としたので、確実にナットを保持して落下を防止することができる。
【発明を実施するための最良の形態】
【０００９】
以下、本発明を図面に示した実施の形態により詳細に説明する。
図１（ａ）（ｂ）及び（ｃ）は本発明の一実施形態に係るナットの脱落防止具の構成を示す正面図、左側面図、及び右側面図であり、図２（ａ）乃至（ｄ）は脱落防止具を用いてナットをボルトから取り外す手順を示す図である。
脱落防止具１は、図２に示すように締結対象物３０に設けた取付け穴（被締結穴）３１内に挿通されたボルト２０の雄螺子部２１に螺着されたナット２５を取り外す際に使用される治具である。具体的には、脱落防止具１は、スパナ等の工具を用いた手作業により、取付け穴３１から雄螺子部２１の先端部を突出させたボルト２０の雄螺子部に螺着されたナット２５を取り外す作業中に、雄螺子部２１から取り外されたナット２５が作業者の手から滑って脱落、落下することを防止する手段であると同時に、ボルト２０の雄螺子部２１にナット２５を新たに螺着する際に指に摘んだナットが滑って落下することを防止する手段でもある。
脱落防止具１は、ナット２５の穴内に嵌合可能な形状、構造を備えた先端部材２と、先端部材２から後方へ延びる延長部１０と、を備えている。先端部材２の先端部２ａを雄螺子部２１の先端部に当接（或いは近接）させることにより、ボルトの雄螺子部２１からスパナ等の治具を用いて離脱させたナットを先端部材２の外周に移動させて保持したり、逆に先端部材２の外周に保持したナットをボルトの雄螺子部２１側に移動させて螺着作業に移行させることが可能となる。
【００１０】
先端部材２は、ナット２５の内周（雌螺子部）２５ａに嵌合した状態でナットを落下不能に係止する係止構造３を備えている。
本実施形態における係止構造３は、ナット２５の雌螺子部２５ａに螺着するサイズ、形状、即ちボルトの雄螺子部２１と同等の螺子ピッチを有した雄螺子部４から構成されている。このため、図２（ｃ）のように先端部材２の先端部２ａを雄螺子部２１の当接部に同一軸心状に当接（或いは、近接）させた状態で、雄螺子部２１上のナット２５を回転させつつ先端部材２側へ移動させることにより、ナットの雌螺子部２５ａが先端部材２の雄螺子部４に螺合した状態で保持される。ナットの雌螺子部と先端部材の雄螺子部４とは、螺子結合しているため、容易に脱落することがない。
また、ボルトの雄螺子部２１によりナットを保持した後で、更にナットを同方向に回転させると、図４（ｄ）のようにナットは雄螺子部２１から離脱して延長部１０上に移動する。延長部１０の端部に設けた穴１１に紐、ワイヤ等の線材１２を通しておき、この紐１２を作業員の安全帯等に取り付けておくことにより、取り外したナットを延長部１０を経由して線材１２に挿通した状態で複数個数珠繋ぎ状に保持し続けることができるため、作業員がナットを保持する必要がなくなり、取り外したナットを脱落させることなく次のナット取外し作業に移行することができる。
【００１１】
また、締結対象物３０側に保持されたボルトの雄螺子部２１に新たにナット２５を締結する作業を実施する場合においても、一端を安全帯等に固定した線材１２に複数個のナットを予め数珠状に挿通させて保持しておき、ナットを一個ずつ延長部１０を経由して移動させて一旦雄螺子部４上に保持してから、更にボルトの雄螺子部２１側に移動（螺着）させる作業を実施することが可能となるため、作業員がナットを手で保持する必要がなくなり、ナットの脱落を防止しつつ連続した螺着作業を実施することが可能となる。
なお、延長部１０の先端部と先端部材２とを螺子締結構造等によって着脱自在に構成しておくことにより、同一の延長部１０に対して異なったサイズ、螺子ピッチを有した先端部材２を交換して使用することが可能となる。即ち、例えば延長部１０の先端部に雄螺子を設け、先端部材２の背面にこの雄螺子と螺合する雌螺子を設け、両部材を着脱自在に構成する。一方、内径の異なるナットに対応するように予め複数種類の先端部材２を用意しておき、ナットの種類が異なるたびに先端部材２を交換できるようにする。
【００１２】
次に、図２に基づいて本発明の脱落防止具１を用いたナットの取外し作業手順を説明する。
図２（ａ）に示すように締結対象物３０に設けた取付け穴（被締結穴）３１内に挿通されたボルト２０の雄螺子部２１にナット２５が締結されている場合に、図示しないスパナ等の工具を用いてナット２５を緩める方向へ回転させて（ｂ）のように雄螺子部２１の先端まで移動させておく。この時、ナット２５の雌螺子部２５ａの軸方向長の半分程度が雄螺子部２１から離脱した状態としておく。この状態で（ｂ）（ｃ）のように脱落防止具１の先端部材２に設けた雄螺子部４（係止構造３）をナット２５の穴内に回転させながら差し込んで雌螺子部２５ａと螺着させる。その後、ナット２５を手作業により回転させて雄螺子部４側へ移動させることにより、ナットの取外しが完了する。
【００１３】
なお、図２（ａ）の段階で先端部材２の先端部２ａをボルトの雄螺子部２１の先端部に同軸状に当接（近接）させておき、この状態でナットを緩める方向へ回転させることにより（ｃ）の状態に移行させるようにしてもよい。
また、脱落防止具１側に保持したナットを、ボルトの雄螺子部４側に螺着する場合には、取外し作業時と逆の手順、即ち、図２（ｄ）（ｃ）（ｂ）（ａ）の順序で作業を行えばよい。
なお、ナットに雄螺子部４を螺着させたり、螺着を解除する場合に、延長部１０を手で把持して回転させる必要があるが、このような作業に適するように延長部の少なくとも一部の径を図示の径よりも大きくして握りやすくしたり、滑り止めを施しても良い。但し、この場合も、ナットの穴に延長部が挿通される程度には延長部を小径とする必要がある。
【００１４】
次に、図３（ａ）及び（ｂ）は本発明の他の実施形態に係る脱落防止具の構成を示す斜視図、及び一部断面図である。
この実施形態に係る脱落防止具１は、先端部材２に設けた係止構造３が、ナット２５の穴内部に挿通可能な基部１５と、基部の外周面から外径方向へ弾性的に突出入する係止片（弾性係止片）１６と、を備えている構成が特徴的であり、弾性係止片１６によってナット２５の内周面に圧接してナットを保持することができる。
弾性係止片１６は、図３（ｂ）に示したように先端部材２の外周面に複数設けた凹所２ｂ内に脱落不能な状態で支持されると共に、凹所２ｂ内に配置したコイルバネ等の弾性部材１７によって外径方向へ弾性付勢されるように構成してもよいし、或いは、弾性係止片１６自体を板バネ、線状バネ、ゴム、樹脂等の弾性材料によって構成してもよい。
【００１５】
図３に示した弾性係止片１６の形状、及び弾性部材１７の弾発力は、脱落防止具の先端部材２をナットの内部に圧入する過程で、弾性係止片１６が内径方向へ一旦没入してからその先端部がナットの雌螺子部２５ａの溝内に入り込むように外径方向へ突出してナットを係止することができるように構成する。また、ナット２５の内壁に弾性係止片１６が係止された状態において、人手によって脱落防止具１を引抜くことによって容易にナットが先端部材２から離脱するように構成する。
本実施形態においては、先端部材２の外径をナット２５の内径よりも十分に小さく設定しておき、ナットの内周面との係止は弾性係止片１６によって実現するように構成したため、異なった内径寸法を有した異種ナットに対しても同一の脱落防止具１を用いて着脱作業を実施することが可能となる。つまり、ナットのサイズが変更するたびに異なったサイズの脱落防止具を用いて作業を行う必要がなくなる。
【００１６】
また、図１、図２の実施形態に係る脱落防止具の場合は雄螺子部４をナットの雌螺子部２５ａと螺合させるために、ボルトの雄螺子部２１と雄螺子部４とを比較的正確に直線状に位置決めする必要があったが、本実施形態の脱落防止具によれば先端部材２をナットの穴内に圧入すればよいので、ボルトの雄螺子部と先端部材との軸心を正確に一致させる必要が少なく、位置合わせがラフで済む利点もある。
なお、本実施形態においても、特定の先端部材２によって保持できないサイズのナットに対応するために、延長部１０の先端に対して異なったサイズ、形状を有した先端部材２を着脱交換できるように構成してもよい。
【００１７】
或いは、先端部材２自体、或いは先端部材の外周の一部をゴム、樹脂等の弾性材料から構成し、ナット２５の穴内に弾性的に圧入したり、離脱できるように構成してもよい。即ち、先端部材２の全部、又は一部を弾性材料にて構成することにより、先端部材自体の内外径方向への弾性変形（出没）によりナット内への着脱、ナットの保持が可能となる。
この場合も、特定の先端部材２によって保持できないサイズのナットに対応するために、延長部１０の先端に対して異なったサイズ、形状を有した先端部材２を着脱交換できるように構成してもよい。
【００１８】
以上のように本発明によれば、脱落防止具を、ナットの穴内に嵌合する先端部材と、該先端部材から後方へ延びる延長部と、から構成し、先端部材は、ナットの内周に嵌合した状態で該ナットを落下不能に係止する係止構造を備えている。このため、ボルトから取り外したナットは脱落防止具の先端部材により一旦保持された後で延長部材側へそのままスライドして移動させることができるので、人手によりナットを保持して作業を行う必要が無くなり、ナットが脱落する余地を少なくすることができる。また、ナットをボルトに螺着する際にはナットを作業員の手により保持することなく、先端部材により保持したナットをボルト側に移動させることになるので、ナットが落下する余地をなくすることができる。シンプル、且つ軽量な構成である点も特徴的である。
【００１９】
また、先端部材をナットの雌螺子部に螺合する雄螺子構造とすることにより、ボルトに螺着されたナットを回転させることにより安定して且つ容易に先端部材側に移行させることができる。また、先端部材に螺着保持されたナットを回転させることにより安定して且つ容易にボルト側に移行させることができる。このため、ナット着脱時の脱落の可能性を大幅に低減できる。
また、係止構造を、ナットの内部に挿通可能な基部と、該基部により内外径方向へ出没自在に支持され且つ外径方向へ弾性付勢された弾性係止片と、から構成することにより、先端部材をナット内に圧入するだけでナットを保持することができ、ナットの着脱作業が安定し、脱落を防止できる。また、内径や、雌螺子のピッチが異なるナットに対しても適用可能な汎用性を付与することができる。
先端部材の全部、又は一部を弾性材料にて構成したので、構成をシンプル化しながら、先端部材によるナットの着脱を容易化することができる。また、内径や、雌螺子のピッチが異なるナットに対しても適用可能な汎用性を有している
先端部材は、延長部に対して着脱交換可能に構成されているので、先端部材によって保持不能なサイズを有したナットを着脱する場合に、先端部材を交換することが可能となる。
【図面の簡単な説明】
【００２０】
【図１】（ａ）（ｂ）及び（ｃ）は本発明の一実施形態に係るナットの脱落防止具の構成を示す正面図、左側面図、及び右側面図である。
【図２】（ａ）乃至（ｄ）は脱落防止具を用いてナットをボルトから取り外す手順を示す図である。
【図３】（ａ）及び（ｂ）は本発明の他の実施形態に係る脱落防止具の構成を示す斜視図、及び一部断面図である。
【符号の説明】
【００２１】
１…脱落防止具、２…先端部材、２ａ…先端部、２ｂ…凹所、３…係止構造、４…雄螺子部、１０…延長部、１１…穴、１２…線材、１５…基部、１６…係止片（弾性係止片）、１７…弾性部材、２０…ボルト、２１…雄螺子部、２５…ナット、２５ａ…雌螺子部、
３０…締結対象物、３１…取付け穴（被締結穴）
【図１】
2010106881.tif 000003
【図２】
2010106881.tif 000004
【図３】
2010106881.tif 000005